(57)【要約】【課題】液晶テレビジョン受像機および複数個の周辺機器ユニットがスタンドに支持されたＡＶシステムにおいて、液晶テレビジョン受像機や各周辺機器ユニットの動作状態を集中して表示する。【解決手段】２個の周辺機器ユニット６は前面がカバー８で覆われている。カバー８上には、液晶テレビジョン受像機３および各周辺機器ユニット６の動作状態を集中して表示する表示部７が設けられている。これにより、ＡＶシステム１の使用時には、液晶テレビジョン受像機３および各周辺機器ユニット６の動作状態が表示部７に集中して表示される。したがって、ＡＶシステム１全体の動作状態を一目で視認することができ、ＡＶシステム１の操作性が向上する。【選択図】図１
2008085801.tif 000002
【特許請求の範囲】
【請求項１】
表示装置がスタンドに支持され、このスタンドに周辺機器部が取り付けられたＡＶシステムであって、
前記表示装置および／または前記周辺機器部の動作状態を表示する表示部が前記スタンドに設けられていることを特徴とするＡＶシステム。
【請求項２】
前記スタンドは、側面視Ｌ字形であることを特徴とする請求項１に記載のＡＶシステム。
【請求項３】
前記周辺機器部は、垂直に取り付けられていることを特徴とする請求項１または２に記載のＡＶシステム。
【請求項４】
前記周辺機器部は、複数個の周辺機器ユニットから構成され、
前記表示部は、前記表示装置および／または前記各周辺機器ユニットの動作状態を集中して表示する機能を備えていることを特徴とする請求項１乃至３のいずれかに記載のＡＶシステム。
【請求項５】
前記表示部は、前記複数個の周辺機器ユニット間に設けられていることを特徴とする請求項４に記載のＡＶシステム。
【請求項６】
前記周辺機器部は、前面がカバーで覆われ、
前記表示部は、前記カバー上に設けられていることを特徴とする請求項１乃至４のいずれかに記載のＡＶシステム。
【請求項７】
前記表示部には、前記表示装置および／または前記周辺機器部を遠隔操作するリモコンからの信号を受信する受光部が設けられていることを特徴とする請求項１乃至６のいずれかに記載のＡＶシステム。
【請求項８】
前記リモコンは、ソーラー発電機能を具備したドアを有していることを特徴とする請求項７に記載のＡＶシステム。
【請求項９】
表示装置がスタンドに支持され、このスタンドに複数個の周辺機器ユニットが取り付けられたＡＶシステムの動作状態表示方法であって、
前記スタンドに設けられた表示部に前記表示装置および／または前記各周辺機器ユニットの動作状態を集中して表示することを特徴とする、ＡＶシステムの動作状態表示方法。
【発明の詳細な説明】
【技術分野】
【０００１】
本発明は、液晶テレビジョン受像機などの表示装置を含むＡＶシステムに関するものである。
【背景技術】
【０００２】
従来、この種のＡＶシステムにおいては、複数個の周辺機器ユニットを同一のケース内に積み重ねて収納し、各周辺機器ユニットの動作状態をアンプの表示部に集中して表示する技術（以下、公知技術１という。）が提案されていた（例えば、特許文献１参照）。
【特許文献１】特開平６−３０２１７６号公報（段落〔００１４〕〔００１６〕の欄、図１）
【発明の開示】
【発明が解決しようとする課題】
【０００３】
しかし、これでは、アンプを必要としないＡＶシステムの場合、表示部が存在しないため、各周辺機器ユニットの動作状態を集中して表示することができないという課題があった。
【０００４】
本発明は、こうした課題を解決することが可能な、ＡＶシステムおよびその動作状態表示方法を提供することを目的とする。
【課題を解決するための手段】
【０００５】
本発明に係るＡＶシステムでは、表示装置がスタンドに支持され、このスタンドに周辺機器部が取り付けられたＡＶシステムであって、前記表示装置および／または前記周辺機器部の動作状態を表示する表示部が前記スタンドに設けられていることを特徴とする。
本発明に係るＡＶシステムでは、前記スタンドは、側面視Ｌ字形であることを特徴とする。
本発明に係るＡＶシステムでは、前記周辺機器部は、垂直に取り付けられていることを特徴とする。
本発明に係るＡＶシステムでは、前記周辺機器部は、複数個の周辺機器ユニットから構成され、前記表示部は、前記表示装置および／または前記各周辺機器ユニットの動作状態を集中して表示する機能を備えていることを特徴とする。
本発明に係るＡＶシステムでは、前記表示部は、前記複数個の周辺機器ユニット間に設けられていることを特徴とする。
本発明に係るＡＶシステムでは、前記周辺機器部は、前面がカバーで覆われ、前記表示部は、前記カバー上に設けられていることを特徴とする。
本発明に係るＡＶシステムでは、前記表示部には、前記表示装置および／または前記周辺機器部を遠隔操作するリモコンからの信号を受信する受光部が設けられていることを特徴とする。
本発明に係るＡＶシステムでは、前記リモコンは、ソーラー発電機能を具備したドアを有していることを特徴とする。
本発明に係るＡＶシステムの動作状態表示方法では、表示装置がスタンドに支持され、このスタンドに複数個の周辺機器ユニットが取り付けられたＡＶシステムの動作状態表示方法であって、前記スタンドに設けられた表示部に前記表示装置および／または前記各周辺機器ユニットの動作状態を集中して表示することを特徴とする。
【発明の効果】
【０００６】
本発明によれば、アンプを必要としないＡＶシステムであっても、表示装置や周辺機器部の動作状態を表示することが可能となる。
【発明を実施するための最良の形態】
【０００７】
以下、本発明の実施形態を図面に基づいて説明する。
【０００８】
＜第１の実施形態＞
図１は本発明に係るＡＶシステムの第１の実施形態を示す図であって、（ａ）はその正面図、（ｂ）はその右側面図、図２はリモコンの斜視図であって、（ａ）は使用時の状態図、（ｂ）は非使用時の状態図である。
【０００９】
ＡＶシステム１は、図１に示すように、側面視Ｌ字形のスタンド２を備えており、スタンド２の上部には液晶テレビジョン受像機３が支持されている。また、スタンド２の下部には周辺機器部５が、液晶テレビジョン受像機３の下方に位置して液晶テレビジョン受像機３よりセットバックする形で垂直に、つまり奥行きが最小となる姿勢で着脱自在に取り付けられている。
【００１０】
この周辺機器部５は、図１に示すように、ＤＶＤプレーヤー、チューナー、アンプなどの周辺機器ユニット６が２個、上下方向（垂直方向）に２段で配列する形で個別に着脱自在に設置されて構成されている。各周辺機器ユニット６は、スタンド２の横方向から挿抜する形で個別に着脱自在となっている。
【００１１】
また、周辺機器部５の前面には、図１に示すように、カバー８が２個の周辺機器ユニット６の全体を覆うように取り付けられている。カバー８上には、液晶テレビジョン受像機３および各周辺機器ユニット６の動作状態（例えば、液晶テレビジョン受像機３で受信しているチャンネル、現在時刻、タイマー予約や録画予約、タイトル表示、動作モードなどの情報、各周辺機器ユニット６の接続状態）を集中して表示する表示部７が設けられている。さらに、表示部７には、図１（ａ）に示すように、後述するリモコン１０からの信号を受信する受光部４が設けられている。
【００１２】
また、ＡＶシステム１はリモコン１０を備えており、リモコン１０は、図２に示すように、ケーシング１１を有している。ケーシング１１の前面には発光部（図示せず）が設けられている。また、ケーシング１１の上面には、複数個の操作ボタン１２が設けられているとともに、これらの操作ボタン１２を被覆するドア１３が矢印Ａ、Ｂ方向に摺動自在に取り付けられている。このドア１３は、ソーラー発電機能を具備しており、リモコン１０で必要な電力（例えば、液晶テレビジョン受像機３や周辺機器ユニット６を遠隔操作するため前記発光部から受光部４に向けて信号を送出するのに要する電力など）をソーラー発電によって賄うことができる。
【００１３】
このように、ＡＶシステム１の使用時においては、液晶テレビジョン受像機３および各周辺機器ユニット６の動作状態が表示部７に集中して表示される。したがって、アンプを必要としないＡＶシステム１であっても、ＡＶシステム１全体の動作状態を一目で視認することができ、ＡＶシステム１の操作性が向上する。
【００１４】
しかも、この表示部７は、周辺機器部５を覆うカバー８上に設けられているので、視認性に優れている。
【００１５】
また、周辺機器ユニット６を入れ替える等のシステム・アップにも対応できるため、広汎な種類のシステム構成が可能となる。
【００１６】
さらに、リモコン１０はソーラー発電によって所要の電力を賄えるので、省エネ型のリモコン１０を実現することができる。すなわち、リモコン１０の使用時には、図２（ａ）に示すように、ドア１３を矢印Ａ方向に摺動させて開けることにより、操作ボタン１２を押して操作しつつソーラー発電を行うことができる。一方、リモコン１０の非使用時には、図２（ｂ）に示すように、ドア１３を矢印Ｂ方向に摺動させて閉めることにより、液晶テレビジョン受像機３や各周辺機器ユニット６の誤動作を防止しつつソーラー発電を行うことができる。このように、リモコン１０は、使用時であると非使用時であるとを問わず常にソーラー発電が行われるため、省エネ性に優れたものとなる。
【００１７】
また、受光部４は、表示部７に設けられているので、リモコン１０からの信号を容易に受信することができる。
【００１８】
また、ＡＶシステム１は、周辺機器部５がスタンド２に垂直に取り付けられているので、スタンド２周辺（スタンド２および周辺機器部５）を薄型化することができる。
【００１９】
また、周辺機器部５は、液晶テレビジョン受像機３の下方に収納され、しかも液晶テレビジョン受像機３よりセットバックしているため、液晶テレビジョン受像機３の下方のスペースを有効に活用し、コンパクトなＡＶシステム１を実現することができる。
【００２０】
また、スタンド２は、側面視Ｌ字形であるため、床置き時の安定性に優れ、転倒を未然に防止することができる。
【００２１】
＜その他の実施形態＞
上述の実施形態においては、液晶テレビジョン受像機３および各周辺機器ユニット６の動作状態を表示部７に表示する場合について説明したが、液晶テレビジョン受像機３の動作状態のみを表示部７に表示してもよく、各周辺機器ユニット６の動作状態のみを表示部７に表示しても構わない。
【００２２】
上述の実施形態においては、２個の周辺機器ユニット６が上下方向に２段で配列された周辺機器部５について説明した。しかし、周辺機器ユニット６の個数は、２個に限定されるわけではなく、１個でも３個以上でも構わない。また、周辺機器ユニット６の個数が複数個である場合、これらの周辺機器ユニット６の配列方式については、上述したもの以外にも種々考えることができる。
【００２３】
上述の実施形態においては、周辺機器部５を覆うカバー８上に表示部７が設けられたＡＶシステム１について説明したが、表示部７は、２個の周辺機器ユニット６間に並べて設置しても構わない。こうすることにより、隣り合う周辺機器ユニット６の動作状態の視認性を一層高めるよう表示させることができる。また、表示色や表示記号等を工夫して、隣り合う周辺機器ユニット６と視覚的に一体感を持たせて表示させることも可能となる。
【００２４】
上述の実施形態においては、表示装置として液晶テレビジョン受像機３を取り上げて説明したが、液晶テレビジョン受像機３以外の表示装置（例えば、ＰＤＰ（プラズマディスプレイパネル）、有機ＥＬ（エレクトロルミネセンス）ディスプレイ、ＳＥＤ（表面電界ディスプレイ）など）に本発明を適用することも可能である。
【図面の簡単な説明】
【００２５】
【図１】本発明に係るＡＶシステムの第１の実施形態を示す図であって、（ａ）はその正面図、（ｂ）はその右側面図である。
【図２】リモコンの斜視図であって、（ａ）は使用時の状態図、（ｂ）は非使用時の状態図である。
【符号の説明】
【００２６】
１……ＡＶシステム
２……スタンド
３……液晶テレビジョン受像機（表示装置）
４……受光部
５……周辺機器部
６……周辺機器ユニット
７……表示部
８……カバー
１０……リモコン
１１……ケーシング
１２……操作ボタン
１３……ドア
【図１】
2008085801.tif 000003
【図２】
2008085801.tif 000004